(57)【要約】【課題】  ネットワークを介して、ＤＶＤに記録されたコンテンツを他の機器に転送し、転送先の機器で視聴する機会が増えている。しかしながら、転送を無制限に行なうと、コンテンツの著作権が侵害される。【解決手段】  再生装置に、記録媒体やコンテンツに記録された著作権保護情報を検出する著作権保護情報検出手段とを設け、他の機器への転送を行なう時には、この著作権保護情報を使用して、転送の可否を判断する。【選択図】  図１
2005092943.tif 000002
【特許請求の範囲】
【請求項１】
画像／音声データが記録された記録媒体を再生する再生装置であって、
記録媒体に記録された著作権保護情報を検出する著作権保護情報検出手段と、
前記著作権保護情報検出手段により検出した著作権保護情報を判別する判別手段と、
記録媒体から画像／音声データを再生する再生手段と、
前記再生手段により再生された画像／音声データを出力するデータ出力手段とを有することを特徴とする再生装置。
【請求項２】
請求項１に記載の再生装置であって、
前記再生装置は、ネットワークに接続する接続手段を有し、
前記接続手段によりクライアント機器とネットワークを成し、
前記ネットワークを介して前記クライアント機器に対してサービスを提供するサーバ機器の機能を有することを特徴とする再生装置。
【請求項３】
請求項２に記載の再生装置であって、
前記再生装置は、記憶手段を有し、前記記憶手段に前記検出した著作権保護情報を記憶することを特徴とする再生装置。
【請求項４】
請求項３に記載の再生装置であって、
前記再生装置は、前記著作権保護情報を判別する判別手段によって判別した結果に基き、処理が分岐するように構成されていることを特徴とする再生装置。
【請求項５】
請求項４に記載の再生装置であって、
前記再生装置は、前記記憶手段に記憶している著作権保護情報を読み出し可能なことを特徴とする再生装置。
【請求項６】
請求項５に記載の再生装置であって、
前記再生装置は、前記記憶手段に記憶している著作権保護情報と、前記記録媒体に記録された著作権保護情報とを書き換え可能なことを特徴とする再生装置。
【請求項７】
請求項６に記載の再生装置であって、
前記再生装置は、前記著作権保護情報を前記ネットワークを介して前記クライアント機器に対して通知することを特徴とする再生装置。
【請求項８】
請求項７に記載の再生装置であって、
前記再生装置は、現在時刻を取得する現在時刻取得手段と、
前記取得した現在時刻と前記著作権保護情報とを照合する現在時刻照合手段とを有し、
前記照合手段による照合結果に基き、
処理が分岐するように構成されていることを特徴とする再生装置。
【請求項９】
画像／音声データと、前記画像／音声データに関連付けられた補助データと、前記画像／音声データを再生する再生方法とを記録している記録媒体において、
前記記録媒体は、前記画像／音声データの著作権保護情報を記録していることを特徴とする記録媒体。
【発明の詳細な説明】
【技術分野】
【０００１】
本発明は、画像/音声データの著作権を保護するための著作権保護情報を検出する機能を持ち、前記画像/音声データを再生する再生装置、他の再生装置とネットワークを介してサービスを提供するサーバ装置、前記画像/音声データを記録する記録媒体に係り、特に前記画像/音声データの著作権保護情報に基き、前記画像/音声データを扱う再生装置及びサーバ装置に関するものである。
【背景技術】
【０００２】
近年、いわゆるＤＶＤに代表される光ディスクが広く普及している。これら光ディスクには、高品質な画像/音声データを記録することが可能であるが、その画像/音声の品質をほとんど劣化させないまま、複製することができてしまう。このような背景から、画像/音声データそのものに不正な複製を防ぐための著作権保護情報を埋め込むなど、様々なコピープロテクション技術が提案されてきた(例えば、非特許文献１参照)。
【０００３】
また、パーソナルコンピュータ(以下ＰＣ)とインターネットを代表とするネットワーク技術の発展と普及にともない、ネットワークを介して、例えば画像/音声データ等を閲覧したり、取得したりする機会が増えている。さらには、ＰＣを利用しての情報取得だけではなく、ＴＶやＤＶＤプレーヤ等のＡＶ（Ａｕｄｉｏ  Ｖｉｓｕａｌ）機器を利用した情報の閲覧や取得の要求が高まってきており、ネットワーク接続可能なＡＶ機器が市販されている。
【０００４】
ＤＶＤプレーヤについては、高品質の画像／音声データ、例えば映画コンテンツ等を再生するための技術について規格化が進められており、さらに前記技術を採用したＤＶＤプレーヤではネットワークを介して他のＡＶ機器等に接続して各種情報を表示し、視聴する技術についても規格化が進められている（例えば、非特許文献２参照）。
【０００５】
【非特許文献１】ビデオウォーターマーク「PIONEER  R&D  Vol.11  No.2」  Ｐ.５０-５４  ２００１年７月  パイオニア株式会社
【非特許文献２】「日経エレクトロニクス7月21日号」日経BP社、２００３年７月２７日発行、Ｐ.１２５-１３８
【発明の開示】
【発明が解決しようとする課題】
【０００６】
近年、高品質な画像/音声データを記録した記録媒体、例えば光ディスクを再生する再生装置が、他の再生装置とネットワークを介して接続する機会が増えている。
【０００７】
このような場合、前記光ディスクとは互換性のない再生装置であっても、ネットワークを介し、前記光ディスクを再生する再生装置から前記高品質な画像/音声データを取得することができる。すなわち、前記画像/音声データの転送を受け、再生可能な形に変換し、再生、視聴することができてしまう。このとき、前記画像/音声データは複製されていないが、複製されたのと同等に扱われることになり、前記画像/音声データの著作権者の権利が保護されない。
【０００８】
本発明の目的は、画像/音声データ、例えば映画等のコンテンツをネットワークを介して転送、変換、視聴することを制限する、著作権保護機能を有する再生装置及びサーバ装置を提供することにある。
【課題を解決するための手段】
【０００９】
上記課題を解決するために、本発明は、画像/音声データが記録された記録媒体を再生する再生装置であって、記録媒体から画像/音声データを再生する再生手段と、画像/音声データに埋め込まれた著作権保護情報を検出する著作権保護情報検出手段と、画像/音声データを転送する転送手段とを有し、前記著作権保護情報検出手段により検出した著作権保護情報に基いて画像/音声データを扱うことを特徴とした再生装置及びサーバ装置を提供する。
【００１０】
また、ネットワークを介した画像/音声データの不正な転送、変換、視聴を防止ための著作権保護情報を記録することを特徴とした記録媒体を提供する。
【発明の効果】
【００１１】
本発明に係る再生装置及びサーバ装置、記録媒体を用いることにより、ネットワークを介した画像/音声データの不正な転送、変換、視聴を防止することができ、画像/音声データ等の著作権が保護される。
【発明を実施するための最良の形態】
【００１２】
以下、本発明に係る具体的な実施の形態である再生装置としてのＤＶＤプレーヤの一実施例を示す図面を用いて説明する。
【００１３】
図１に、本発明に係る再生装置のブロック図を示す。
【００１４】
図１において、１０１は再生装置全体を制御するシステム制御部、１０２はＲＡＭ(Ｒａｎｄｏｍ  Ａｃｃｅｓｓ  Ｍｅｍｏｒｙ)である。
【００１５】
まず、図１を用いて、画像／音声データを記録媒体から読み出し、再生する方法について説明する。
【００１６】
光ピックアップなどの再生ヘッドにより再生する記録媒体、図１の例ではＤＶＤである光ディスク１１０から読み出された画像／音声データは、分離部１０３により分離され、デジタル符号化された画像データとデジタル符号化された音声データに変換される。前記再生ヘッドとは、記録媒体からデータを再生するものであれば、種類は特に限定されない。再生ヘッドは、例えばＤＶＤなど光ディスクの光ピックアップ、ＨＤＤ(Ｈａｒｄ  Ｄｉｓｃ  Ｄｒｉｖｅ)など磁気記録媒体の磁気ヘッド、メモリカードなど半導体記録媒体の信号処理回路などである。
【００１７】
分離部１０３により分離され、デジタル符号化された画像データは、画像伸張部１０４によってデジタル符号化された画像データを復号し、ＮＴＳＣなどのフォーマットに変換した上で画像出力端子１０５を介して、外部画像表示装置、例えばＴＶ等に出力する。
【００１８】
また、分離部１０３により分離され、デジタル符号化された音声データは、音声伸張部１０６によってデジタル符号化された音声データを復号し、Ｄ／Ａ変換してアナログ音声信号に変換し、増幅し、音声出力端子１０７を介して、外部音声出力装置、例えばスピーカ等に出力する。
【００１９】
以上示した方法により、前記再生装置において、前記記録媒体に記録されている画像／音声データを再生する。
【００２０】
次に、ネットワーク接続機能を有する前記再生装置が、ネットワークを介して他のネットワーク接続機能を有する機器と画像／音声等のデータを授受する方法について図１と図２を用いて説明する。
【００２１】
図２は、前記再生装置が、ネットワークを介して他の機器と接続し、ホームネットワークを構築している様子を示した図である。図２の２０１は前記ネットワーク接続機能を有する再生装置、または、ネットワークに接続された他の装置からの要求に応じてサービスを提供するサーバ装置である。ここでは説明の都合上、再生装置として呼称を統一するが、これによって本発明の解釈が狭くなることはない。
【００２２】
また、２０２は家庭用テレビに接続して追加機能を提供するデバイス、いわゆるセットトップボックスであり、２０３は携帯情報機器、いわゆるＰＤＡ(Ｐａｒｓｏｎａｌ  Ｄｉｇｉｔａｌ  Ａｓｓｉｓｔａｎｔ)であり、２０４はノートパソコンである。
【００２３】
ここで、前記再生装置２０１はネットワークに接続された装置、例えばセットトップボックス２０２から情報取得要求を受けると、目的のファイルやデータを取得し、情報取得要求の送信元であるセットトップボックス２０２に転送する。
【００２４】
以下、図１を用いて前記再生装置と他の機器、例えばセットトップボックス２０２との通信、データ転送を行なう方法の詳細について説明する。前記再生装置とセットトップボックス２０２はネットワークＩ／Ｆ１１２を介して接続する。ここで、セットトップボックス２０２から送信される指示を受けたネットワーク制御部１１１は、前記指示を受けた旨をシステム制御部１０１に通知する。システム制御部１０１では前記指示の内容に応じてシステムの制御を行なう。例えば、前記指示の内容が光ディスク１１０に記録された前記画像/音声データの取得の場合、システム制御部１０１はドライブ制御部１０８を制御し、ＤＶＤドライブ１０９を介して光ディスク１１０に記録された前記画像/音声データを取得し、前記取得した画像/音声データをネットワークＩ／Ｆ１１２を介してセットトップボックス２０２に転送する。
【００２５】
以上示した方法により、再生装置は、ネットワークを介して接続された他の機器から送信される指示を受け、記録媒体に記録されている画像／音声データを取得し、転送する。このとき、転送したデータが光ディスク１１０に記録された画像/音声データ、例えば映画コンテンツであれば、データ転送を受けたセットトップボックス２０２は前記転送された画像/音声データを自身の持つＨＤＤに保存しておき、いつでも視聴することができる。さらには、前記転送された画像/音声データの映像形式を変換することができ、例えば映像形式がＨＤ(Ｈｉｇｈ Ｄｅｆｉｎｉｔｉｏｎ)形式であれば、その映像形式をＳＤ(Ｓｔａｎｄａｒｄ  Ｄｅｆｉｎｉｔｉｏｎ)形式に変換することができる。映像形式には様々な形式があるが、本発明において映像形式は特に規定しない。
【００２６】
なお、前記再生装置２０１や他の機器がネットワークに接続する技術として、有線と無線があるが、本発明において接続形態は特に規定しない。
【００２７】
次に、上述した画像/音声データの転送、映像形式の変換、視聴の操作に関し、著作権を保護する機能について説明する。
【００２８】
ここでは、ＢＣＡを用いて画像/音声データ等の著作権を保護する方法を例に取り説明する。
【００２９】
図３は、光ディスクの外形図であり、３０１はＢＣＡ（Ｂｕｒｓｔ  Ｃｕｔｔｉｎｇ  Ａｒｅａ）と呼ばれるデータ記録領域である。
【００３０】
ＢＣＡ３０１は、光ディスク１１０の通常のデータ領域の内側に、特殊なレーザー光線を用いて傷を付け、ディスク固有の情報を記録したものである。ＢＣＡの情報は、光反射率の違いで読み出すことができ、従来の光ピックアップを用いて読み出すことが可能である。
【００３１】
ここで、ＢＣＡには、ディスクに記録されているコンテンツの作成メーカー、タイトル、発売日、シリアル番号、著作権保護情報等の情報を記録しておくように構成する。
【００３２】
再生装置は、他の機器へのデータ転送を開始時に、ＢＣＡ３０１から著作権保護情報を読み出す。具体的には、システム制御部１０１からドライブ制御部１０８に対してＢＣＡ読み出し命令を出し、ドライブ制御部１０８はＢＣＡ読み出し命令に従って、光ディスク１１０のＢＣＡ情報を読み出し、読み出したＢＣＡ情報はシステム制御部１０１に戻される。
【００３３】
システム制御部１０１は、読み出したＢＣＡ情報から、光ディスク１１０のメーカー、タイトル、発売日、シリアル番号、著作権保護情報等を取り出す。取り出したこれらの情報は、ＲＡＭ１０２に記録しておくと良い。光ディスク１１０から情報を読み出すよりも、容易かつ高速に情報を取り出すことができるためであり、一度目は必ず光ディスクから情報を読み出す必要があるが、その際にＲＡＭ１０２に情報を記録しておけば、その後の情報の取り出しはＲＡＭ１０２から容易かつ高速に行なえる。
【００３４】
図４に、読み出したＢＣＡ情報の一例を示す。
【００３５】
図４の著作権保護情報４０５は、４０７に示すように、例えばコピー、転送、変換、視聴についての情報から成る。また、前記情報は、４０８に示すように、例えば各２ビットのデータから成る。ビットデータは、例えば図５に示すように、ビットデータが００ならば何度でも処理を行なって良い、１０ならば一度だけ処理を行なっても良い、１１ならば処理を行なってはいけない、というように取り扱い情報を示すように定義する。
【００３６】
ここで、著作権保護情報４０８の例では、コピーは不可、転送は一度だけ可、変換は不可、視聴は何度でも可を示している。再生装置では、著作権保護情報４０８に基いて、光ディスクのデータを取り扱い、この例では、他の機器からデータ転送の指示を受けた場合、一度だけデータ転送を行なう。著作権保護情報４０８によると、一度データ転送を行なうと、それ以降はデータ転送を行なってはならないので、ディスクのＢＣＡに記録した著作権保護情報のうち、転送に関するビットデータを書き換える。例えば、ビットデータを１１と書き換えて、それ以降の転送は行なえないようにする。
【００３７】
図６は上述の転送処理過程を示したフローである。
【００３８】
ステップＳ１で処理を開始すると、ステップＳ２において著作権保護情報を読み出す。ステップＳ３では読み出した著作権保護情報のビットデータを判定する。
【００３９】
ビット判定の結果、００であればステップＳ４に進み、データ転送を行なう。
【００４０】
ビット判定の結果、１０であればステップＳ４においてデータ転送を行ない、続けてステップＳ５において著作権保護情報を更新し、これ以上、データ転送を行なわないようにする。
【００４１】
ビット判定の結果、１１であればステップＳ６に進み、転送を行なわない。
【００４２】
また、再生装置は、他の機器にデータ転送する際に、前記著作権保護情報も転送するように構成する。この結果、データと著作権保護情報の転送を受けた機器では、前記著作権保護情報に基き、前記転送されたデータを適切に取り扱うことができる。図４の例であれば、データの転送を受けた機器、例えばセットトップボックス２０２では、前記転送されたデータをコピーしたり、映像形式を変換したりしてはならないし、他の機器、例えばＰＤＡ２０３に転送してはいけない。ただし、前記転送されたデータの視聴は何度でも行なうことができる。
【００４３】
また、再生装置は、データのコピー機能や映像形式の変換機能を有する場合であっても、著作権保護情報４０８により、コピーや変換を行なわないように構成する。
【００４４】
また、光ディスク１１０の容量が大きい場合、例えば１枚のディスクに、複数の映画コンテンツが記録されていることも考えられる。このような場合、ＢＣＡ領域に記録する著作権保護情報が、どの映画コンテンツに対応する情報であるかを明確にするような情報を持つと良い。
【００４５】
以上、説明したようにディスクのＢＣＡ領域に著作権保護情報を記録しておき、再生装置は、ディスクに記録された画像/音声データ等を前記著作権保護情報に基いて取り扱うように構成することで、著作権を保護することができる。
【００４６】
なお、ここでは、著作権保護情報をＢＣＡ領域に書き込んだ例を挙げているが、これに限定されるものではなく、著作権保護情報を書き込む領域や暗号化技術に関わらず、これを利用することが出来る。例えば、ディスク上の所定セクターに書き込んでも良いし、ディスク上にファイルとして書いておいても良い。さらに、著作権を保護するためには、前記著作権保護情報は容易に解除できないように構成した方が望ましく、例えば、電子透かし技術、いわゆるデジタルウォーターマークを用い、コンテンツそのものに著作権保護情報を埋め込んでも良い。
【００４７】
なお、上述した著作権保護の情報、ビットデータの定義等は、一例を示したものであり、これに限定されるものではない。例えば、データ長を４ビットや８ビットにし、より詳細な著作権保護情報を持つなど、様々な変型が可能である。しかし、再生装置等の著作権保護情報の読み取り側もそれに応じた処理の変更が必要になるため、著作権保護情報の形式は統一することが望ましい。
【００４８】
また、上述した再生装置が有する著作権保護機能の変化形として、記録媒体やコンテンツそのものに記録してある他の情報を、著作権保護に活用することもできる。ここでは、図４の発売日情報４０３を例に説明する。発売日情報４０３の詳細は、例えば４０６に示すように、２００３１２３１、すなわち２００３年１２月３１日にディスクが発売されたことを示している。
【００４９】
また、ここでは説明を簡単にするため、発売日情報４０３に対応するコンテンツはコピー、転送、変換が不可であり、視聴するのみであるとする。
【００５０】
ここで、前記著作権保護機能を有する再生装置では、著作権保護情報を読み出す。ここでは、特に発売日情報の詳細４０６を利用する。
【００５１】
前記再生装置のシステム制御部１０１は、システムタイマーを持ち、日時を正確に把握することができる。そこで、前記読み出した発売日情報と日時とを照合し、例えば、日時が発売日から１年以上経過していればコピー、転送、変換を可能にするように構成する。すなわち、データやコンテンツを取り扱うに際して、発売日情報４０６に基いて判別を行なうことで、日付に応じた著作権保護が可能となる。ここでは、発売日から１年以上経過した場合に、コピー、転送、変換等を可能にする例を示したが、これに限るものではなく、例えば６ヶ月、２年など著作権者の意図によって様々な期限に変形が可能である。この場合、コピー、転送、変換等を、いつになったら許可するかを示す情報を持つように構成する。
【００５２】
以上、説明した例により、ディスクやコンテンツの有する情報を元にした著作権保護機能が実現できる。
【００５３】
また、最初に視聴した時刻をＲＡＭ１０２に記録しておき、それから一定期間経過したことを条件にしたり、視聴した回数が一定回数を越えたことを条件にしたり、ある特定のコンテンツを視聴した履歴を条件に加えるなど、様々な変形が可能である。
【００５４】
さらには、ネットワーク接続できることを利用し、著作権者の管理するサイトに接続し、コピー、転送、変換等のプロテクトを外すためのソフトウェアをダウンロードすることも可能である。この場合、例えばディスクやコンテンツに隠し情報として、前記サイトのアドレスを記録しておき、時間や視聴回数等の条件を満たした場合に限り、前記隠し情報を閲覧可能となり、前記サイトのアドレスからプロテクトを外すためのソフトウェアをダウンロードする等の応用もできる。
【００５５】
以上の説明における、著作権保護情報の読み出し手順及び判別手順は、前述した通りであり、説明は割愛する。
【図面の簡単な説明】
【００５６】
【図１】再生装置またはサーバ装置のブロック図
【図２】ネットワークを介して、再生装置と他の機器とが接続する際の構成を示す図
【図３】光ディスクの外形図
【図４】ディスクやコンテンツに記録した情報の内容と詳細を示す図
【図５】ビットと取り扱い情報の対応表
【図６】再生装置の著作権保護機能の処理を示すフローチャート
【符号の説明】
【００５７】
１０１…システム制御部、１０２…ＲＡＭ、１０３…分離部、１０４…画像伸張部、１０５…画像出力端子、１０６…音声伸張部、１０７…音声出力端子、１０８…ドライブ制御部、１０９…ＤＶＤドライブ、１１０…光ディスク、１１１…ネットワーク制御部、１１２…ネットワークＩ／Ｆ、１１３…ネットワーク、２０１…再生装置、２０２…セットトップボックス、２０３…ＰＤＡ、２０４…ノートパソコン、３０１…ＢＣＡ記録部、４０１…メーカー情報、４０２…タイトル情報、４０３…発売日情報、４０４…シリアル番号、４０５…著作権保護情報、４０６…発売日詳細情報、４０７…著作権保護情報の内容、４０８…著作権保護情報のビットデータ、Ｓ１…開始ステップ、Ｓ２…著作権保護情報読み出しステップ、Ｓ３…ビット判定ステップ、Ｓ４…転送処理実行ステップ、Ｓ５…著作権情報更新処理ステップ、Ｓ６…転送処理非実行ステップ
【図１】
2005092943.tif 000003
【図２】
2005092943.tif 000004
【図３】
2005092943.tif 000005
【図４】
2005092943.tif 000006
【図５】
2005092943.tif 000007
【図６】
2005092943.tif 000008